(57)【要約】【課題】履物を履くとき、屈んだり、しゃがんだり、手を使ったりしないで、立ったまま、靴べらも使わないで履け、履くと脱げたり、横滑りしない履物。身体の不自由な老人が、履きやすく、且つ安全な履物を得る。【解決手段】両側面、後面、および底面が一体的に他部と切り離されている履物のかかと部が、履物底板の後端を中心に開閉し、足を入れると、かかと部は底板が足のかかとに押されて閉じて、普通の履物の形になる。閉じたとき、磁石を使って固定する。【選択図】図１
2004236860.tif 000002
【特許請求の範囲】
【請求項１】
履物底部と、該履物底部に取り付けられ、足の前方部分を前記履物底部に固定するための前方固定部と、前記履物底部の後端部において左右方向に延びた軸線によって軸支され、足の後方部分の足底を載せる底板部、足の後方部分の両側側面に当接する側面部、及び足の後側面に当接する後面部からなる可動かかと部とを有することを特徴とする靴べらなしで履ける履物。
【請求項２】
前記可動かかと部が、その前方部分を前記履物底部から持ち上げる方向に付勢されている請求項１に記載の靴べらなしで履ける履物。
【請求項３】
前記可動かかと部が、その前方部分を前記履物底部に押しつける方向に付勢されている請求項１に記載の靴べらなしで履ける履物。
【請求項４】
前記可動かかと部が、回転角のほぼ中心から開いた角度にあるときは開く方向に、回転角のほぼ中心から閉じた角度にあるときは閉じる方向に働くバネによって開閉する、請求項１記載の、靴べらなしで履ける履物。
【発明の詳細な説明】
【０００１】
【発明が属する技術分野】
本発明は、かかと部が開閉する履物に関するものである。
【０００２】
【従来の技術】
従来のかかとが上下、または左右に開閉する靴は、履くために、しゃがんで、手で操作しなければならない。（例えば、実用新案文献１、２参照。）
また、靴べらなしで履けるサンダルなどは、横滑りや、後方に脱げることに対す防御がなかった。（特許文献３参照）
【０００３】
【実用新案文献１】
実開昭５６−１７１７０２号広報
【実用新案文献２】
実開平０７−２０８１２号広報
【特許文献３】
特開平１０−１４６０２号広報
【０００４】
【発明が解決しようとする課題】
身体の不自由な老人にとって、安全な履物は大切であるが、靴などを履くとき、屈んだり、しゃがんだりして、手を使うのは億劫である。靴べらも使わないで立ったまま履け、歩くとき、脱げたり、横滑りなどしない安全な履物が望ましい。履きやすいサンダルや、かかとのないスリッポンは危険である。
【０００５】
本発明は履物を履くとき、屈んだり、しゃがんだり、手を使ったりせず、また立ったまま、靴べらも使わないで履け、履いた後はしっかり足に固定され、歩くときは横滑りしたり、脱げたりする心配がない履物を提供することを目的としている。
【０００６】
【課題を解決するための手段】
上記目的を達成するために、本発明の履物においては、足の前方部分を履物底部に固定する前方固定部に対して、足の後方部分の両側側面、後方側面、及び足底面の四面に当接する履物のかかと部が、履物底部の後端部において左右に延びた軸線によって軸支され、回動可能にしたものである。
【０００７】
また、上記かかと部の前方部分がバネ等によって持ち上げる方向に付勢されていると、履くときに、足を入れやすい。
【０００８】
また、かかと部がバネ等によってその前方部分を履物底部に押しつける方向に付勢されていると、履くときバネに抗して足を入れなければならないが、入った後はかかと部がしっかり閉じられて、安定する。
【０００９】
また、かかと部を回転させるバネなどが、回転のほぼ中心角度より開いたときは開く方向に働き、回転のほぼ中心角度より閉じたときは、閉まる方向に働くバネであると、履くときも、履いた後も具合が良い。
【００１０】
【発明の実施の形態】
発明の実施の形態を実施例にもとずき図面を参照して説明する。図１において、靴の底部１と、これに取り付けられた足の前方部分を靴の底部１に固定するための前方固定部２に対して、靴の底板１の後端部において、側面部３、後面部４、底板部５からなる可動かかと部６が一体的に靴から切り離され、靴の底部１の後端部において、左右方向に延びた軸線７によって軸支されている。軸線７は蝶番であっても良いし、プラスチックの一体成形や、皮による連結などでもよい。底板部５の前方を持ち上げようとするバネ８によって、可動かかと部６は持ち上げられ、後方に大きく開くので、靴べらを使わなくても足９は図２に示すようにうに靴に入る。足が奥まで充分に入ると、足のかかと１０が、底板部５を押さえて、可動かかと部６は前方に回転し、足のかかと１０をぴったり抱え込む。足の甲部１１を被う甲皮１２は充分深く、足の甲部１１を包んでいる。このように靴はしっかり足を包んでいるので、歩くときは横滑りしたり、脱げたりする心配はない。足を入れたとき、一方に固定された磁石１３と、その相手方に固定された鉄板１４が密着して、可動かかと部６を定位置に固定する。普通に靴を脱ぐようにして、もう一方の靴を添えて足を後ろに引くと、磁石１３が外れて、可動かかと部６が開き、靴が脱げる。実施形態の変形例として、甲皮１２を、サンダルの足掛け部、下駄の鼻緒などに換えても、本発明の効果を有効に得ることができる。
【００１１】
図３に示す実施例では、図１の例とバネの引っ張る方向が逆である。ゴム紐１５が靴の前方固定部２と可動かかと部６ａとを繋いで引っ張っている。足を入れるとき、ゴム紐１５の引っ張る力に抗して可動かかと部６ａを後ろに引き、足を入れる。従ってかかと部６ａは押し潰されないように少し丈夫にし、且つ足を入れたとき可動かかと部６ａを後方に押す形状にする必要がある。磁石はあった方がよい。ゴム紐の代わりに、図１のバネ８と同じ位置に、底板５ａを引っ張るバネでもよい。
【００１２】
図４に示す実施例では、可動かかと部６ｂの回転軸は公知のバネ板付き蝶番１６があり、回転角のほぼ中心から開いた角度にあるときは開く方向に、回転角のほぼ中心から閉じた角度にあるときは閉じる方向に働くので履くときは履き易く、履いた後はぬげにくい。
【００１３】
【発明の効果】
本発明は、以上説明したように構成されているので、以下に記載されるような効果を奏する。
【００１４】
履物のかかと部が、該履物底部の後端部において回転して開くので、履物を履くとき、屈んだり、しゃがんだりして手を使う必要がなく、また靴べらも使わないで、立ったまま履け、履いた後は、履物はしっかり足に固定され、歩くときは横滑りしたり、脱げたりする心配がない。特に身体の不自由な老人に向いた発明であるが、普通の健康な人にも便利な靴である。
【図面の簡単な説明】
【図１】靴の断面図で、バネによってかかと部が開いていて、足が入ってゆく途中を示す図である。
【図２】図１の靴に足が入り終わったときの状態を示す図である。
【図３】ゴム紐によって閉じる方向に引っ張られている可動かかと部を、足が後方に押しながら、靴の中に入って行こうとする状態を示す図である。
【図４】回転のほぼ中心角度より開いたときは、開く方向に働き、回転のほぼ中心角度より閉じたときは閉じる方向に働くバネ板付き蝶番が、底板部の後端に取付られている状態を示す図である。
【符号の説明】
１靴の底板
２前方固定部
３、３ａ側面部
４後面部
５，５ａ底板部
６、６ａ，６ｂ可動かかと部
７軸線
８バネ
９足
１０足のかかと
１１足の甲部
１２甲皮
１３磁石
１４鉄板
１５ゴム紐
１６バネ板付蝶番
【図１】
2004236860.tif 000003
【図２】
2004236860.tif 000004
【図３】
2004236860.tif 000005
【図４】
2004236860.tif 000006